(57)【要約】【課題】立体撮影時に使用する二本のテレビレンズの基線長を狭めることを可能とし、且つ、立体撮影方式に於いても光学性能の不具合を生じにくくするテレビレンズを提供すること。【解決手段】撮影光学系を有するレンズ本体と、撮影光学系を電動駆動するための駆動機構を内蔵するドライブユニットを有するテレビレンズであって、撮影光学系の操作部を電動駆動する駆動部と、レンズ本体に対し駆動部を所定の位置に配置するための位置規制手段と、該所定の位置に固定する為の固定手段と、固定手段を解除した時に駆動部の回転を規制するロック手段を有し、ドライブユニットをレンズ本体に対する回転方向の取り付け位置を変更させることを特徴とする構成とした。【選択図】  図１
2013156607.tif 000002
【特許請求の範囲】
【請求項１】
撮影光学系を有するレンズ本体と、撮影光学系を電動駆動するための駆動機構を内蔵するドライブユニットを有するテレビレンズであって、撮影光学系の操作部を電動駆動する駆動部と、レンズ本体に対し駆動部を所定の位置に配置するための位置規制手段と、該所定の位置に固定する為の固定手段と、固定手段を解除した時に駆動部の回転を規制するロック手段を有し、ドライブユニットをレンズ本体に対する回転方向の取り付け位置を変更させることを特徴とするテレビレンズ。
【請求項２】
ドライブユニットの内部に駆動部を付勢する付勢部材を設けることを特徴とする請求項１に記載のテレビレンズ。
【請求項３】
ドライブユニットの外部から前記固定手段を操作することにより、駆動部を従属ギアから退避させることを特徴とする請求項１又は請求項２に記載のテレビレンズ。
【請求項４】
ドライブユニットをレンズ本体を中心に回転させた後、複数の位相で固定可能とすることを特徴とする請求項１乃至請求項３の何れか１項に記載のテレビレンズ。
【発明の詳細な説明】
【技術分野】
【０００１】
本発明は、テレビレンズの光学系を電動駆動させるドライブユニットを有するテレビレンズに関し、特にドライブユニットをテレビレンズ本体に着脱自在とし、テレビレンズ本体に対する回転方向の取り付け位置を変換できる構成に関するものである。
【背景技術】
【０００２】
テレビレンズを雲台のハウジング等の限られた空間内に設置する場合、テレビレンズに付属されるドライブユニットが干渉する恐れがあるため、テレビレンズを正規な姿勢から変更することがある。二本のテレビレンズを使用して立体撮影を行う撮影方式に於いては、二本のテレビレンズを水平に配列するか、一方のテレビレンズを垂直に配置する。二本のテレビレンズを水平に配列する場合、一方のテレビレンズに付属されるドライブユニットが他方のテレビレンズに接触するため、二本のテレビレンズの間隔である基線長や、レンズの向きである輻輳に制限があった。
【０００３】
例えば、特許文献１ではレンズマウントを固定し、レンズマウントを基準としてレンズを回転させる構造が開示されている。
【先行技術文献】
【特許文献】
【０００４】
【特許文献１】特開平9-281580号公報
【発明の概要】
【発明が解決しようとする課題】
【０００５】
しかしながら、上述の特許文献１に開示された従来技術は、一方のレンズのみを回転させる構成である。この場合、立体撮影方式に於いては、二本のレンズの設置状態が異なるため、二本のレンズ間での光学性能に影響を与えてしまう可能性がある。
【０００６】
そこで、本発明の目的は、立体撮影時に使用する二本のテレビレンズの基線長を狭めることを可能とし、且つ、立体撮影時に於いても二本のレンズの設置状態を正規な姿勢とするテレビレンズを提供することである。
【課題を解決するための手段】
【０００７】
上記目的を達成するために、本発明は、撮影光学系を有するレンズ本体と、撮影光学系を電動駆動するための駆動機構を内蔵するドライブユニットを有するテレビレンズであって、撮影光学系の操作部を電動駆動する駆動部と、レンズ本体に対し駆動部を所定の位置に配置するための位置規制手段と、該所定の位置に固定する為の固定手段と、固定手段を解除した時に駆動部の回転を規制するロック手段を有し、ドライブユニットをレンズ本体に対する回転方向の取り付け位置を変更させることを特徴とする。
【発明の効果】
【０００８】
本発明によれば、二本のテレビレンズを正規な姿勢で固定でき、且つ、二本のテレビレンズの基線長を極力狭めることを可能にしたテレビレンズを提供することができる。
【図面の簡単な説明】
【０００９】
【図１】ドライブユニット５が固定された状態を示す、ドライブユニット５の断面図である。
【図２】ドライブユニット５が回転可能である状態を示すドライブユニット５の断面図である。
【図３】回転止め１６が駆動ギア６の回転を規制している状態を示す断面図である。
【図４】ドライブユニット５が固定された状態を示す、テレビレンズ１の断面図である。
【図５】ドライブユニット５をテレビレンズ１に固定した状態を示す断面図である。
【図６】テレビレンズ１の側面図である。
【図７】立体撮影方式でのテレビレンズ１の固定状態を示す上面図である。
【図８】検出ギア７がドライブユニット５の外に構成された場合の断面図である。
【図９】回転検出ギア２０をドライブユニット５の外側にも構成した場合の断面図である。
【図１０】固定台１０から突出部２１をドライブユニット５の外部に構成した場合の断面図である。
【図１１】ドライブユニット５とテレビレンズ１の固定状態を示す正面図である。
【図１２】ドライブユニット５とテレビレンズ１の固定状態を示す断面図である。
【発明を実施するための形態】
【００１０】
以下に、本発明の好ましい実施の形態を、添付の図面に基づいて詳細に説明する。図１から図１２は、本発明の実施形態にかかわるテレビレンズである。尚、本発明に記載の実施例では、各レンズ群をガラスブロックとして記載する。
【００１１】
［実施例１］
以下、図１から図７を参照して、本発明の第１の実施例による、テレビレンズについて説明する。まず、図６を用い、本実施例に係るテレビレンズについて説明する。テレビレンズ１は、フォーカス操作を行うためのフォーカスリング２、ズーム操作を行うためのズームリング３、絞り操作を行うための絞りリング４を有する。テレビレンズ１の外周にはフォーカスリング２、ズームリング３、絞りリング４を電動駆動させるドライブユニット５を有する。次に図１から図５を用い、ドライブユニット５について説明する。尚、フォーカスリング２、ズームリング３、絞りリング４を回転駆動させる構造は同等であるため、本実施例では、フォーカスリング２の駆動についてのみ記載する。図１は駆動ギア６がフォーカスリング２と噛み合っている状態の断面図を示す。図２は駆動ギア６がフォーカスリング２から退避した状態の断面図を示す。図３は駆動ギア６がフォーカスリング２から退避した際、駆動ギア６の回転を規制している状態を示す断面図である。図４はドライブユニット５が固定されたテレビレンズ１の断面図を示す。図５はドライブユニット５がレンズ本体1に対し固定されている状態を示す。ドライブユニット５はテレビレンズ１の外周に嵌合して径方向の位置を規制される。また、ドライブユニット５の内部にはフォーカスリング２、ズームリング３、絞りリング４と噛み合う駆動ギア６と、駆動ギア６の回転角を検出する検出ギア７と駆動ギア６を回転駆動させるモータギア８を有する。モータギア８はモータ９に固定され、検出ギア７は検出系（不図示）に固定される。駆動ギア６と検出ギア７とモータギア８は固定台１０に固定される。駆動ギア６の位置を固定する際の位置基準である位置規制部１１はドライブユニット５に設けられる。位置規制部１１と固定台１０の間にはバネ１２を有し、バネ１２は矢印１３方向へ固定台１０を付勢する。ドライブユニット５の外部にはビス１４を有し、ビス１４は固定台１０を位置規制部１１と接触する位置まで押圧する。ピン１５は固定台１０を貫通し、ドライブユニット５に固定される。回転止め１６は、ドライブユニット５に固定される。駆動ギア６が矢印１３方向へ退避した時に、回転止め１６が駆動ギア６と噛み合うことで駆動ギア６の回転を規制する。テレビレンズ１はドライブユニット５との接触面にネジ穴１７を複数個所有する。ドライブユニット５はテレビレンズ１のレンズ本体に固定するための穴１８を有する。テレビレンズ１とドライブユニット５はネジ１９によって固定される。
【００１２】
以上の構成において、テレビレンズ１に固定されたドライブユニット５を回転させる手順を説明する。まず、ドライブユニット５の外部に固定されたビス１４を緩める。次に、ネジ19を取り外す。次に、ドライブユニット５をテレビレンズ１の外周に沿って回転させる。テレビレンズ１の外周に設けられたネジ穴１７と対応する位置でネジ１９を使用し、ドライブユニット５をテレビレンズ１に固定する。最後に、ドライブユニット５の外部に固定されたビス１４を締めつけ、固定台１０を位置規制部１１に突き当てる。以上の操作を行うことで、駆動ギア６とフォーカスリング２の噛み合いを変化させることなく、テレビレンズ１を中心にドライブユニット５を回転させる事ができる。尚、本実施例では、ドライブユニット５をテレビレンズ中心に回転させる構成を記載したが、この限りではなく、レール等のガイドを設け、ガイドに沿ってドライブユニット５を回転させても良い。さらに、ドライブユニット５の本体をテレビレンズ１から退避させて回転させても良い。以上、本実施例によれば、図７に示すように、レンズ二本を水平に配列した立体撮影方式の際に、ドライブユニット５の取り付け位置を変更することが可能となり、立体撮影方式の組立が容易となる。
【００１３】
［実施例２］
以下、本発明の第２の実施例による、テレビレンズについて説明する。図８は検出ギア７がドライブユニット５の外に構成された場合の断面図を示す。尚、フォーカスリング２、ズームリング３、絞りリング４を回転駆動させる構造は同等であるため、本実施例では、フォーカスリング２の駆動についてのみ記載する。駆動ギア６とモータギア８は固定台１０に固定される。検出ギア７はフォーカスリング２と噛み合う位置で、ドライブユニット５の外部に固定される。他の構成及びドライブユニット５を固定する方法は実施例１に記載の内容と同様なため、説明を割愛する。
【００１４】
本実施例に記載の構成の場合は、ドライブユニット５の回転前後に於いても、フォーカスリング２と検出ギア７の回転位相がずれない。よって、実施例１に記載の回転止め１６を用いる必要がなく、ドライブユニット５を回転させることが可能となる。
【００１５】
［実施例３］
以下、本発明の第３の実施例による、テレビレンズについて説明する。図９は回転検出ギア２０をドライブユニット５の外側にも構成した場合の断面図を示す。尚、フォーカスリング２、ズームリング３、絞りリング４を回転駆動させる構造は同等であるため、本実施例では、フォーカスリング２の駆動についてのみ記載する。回転検出ギア２０はフォーカスリング２と噛み合う位置で、ドライブユニット５の外側に固定される。他の構成及びドライブユニット５を固定する方法は実施例１に記載の内容と同等なため、説明を割愛する。
【００１６】
本実施例に記載の構成の場合は、ドライブユニット５をテレビレンズ１の中心に回転した際にフォーカスリング２の回転位置が動いても、回転検出ギア２０により、フォーカスリング２の回転位置を検出することが可能となる。よって、ドライブユニット５とフォーカスリング２の噛み合い位置をドライブユニット５の回転前後で同等とさせ易くなる。
【００１７】
［実施例４］
以下、本実施例の第４の実施例による、テレビレンズについて説明する。図１０は固定台１０から突出部２１をドライブユニット５の外部に構成した場合の断面図を示す。尚、フォーカスリング２、ズームリング３、絞りリング４を回転駆動させる構造は同等であるため、本実施例では、フォーカスリング２の駆動についてのみ記載する。突出部２１はドライブユニット５の外部へ突出する配置となる位置に固定台１０に設けられる。他の構成は実施例１に記載の内容と同等なため、説明を割愛する。
【００１８】
本実施例の場合において、ドライブユニット５を回転させるための方法について説明する。まず、ドライブユニット５の外周に固定されたビス１４を緩める。次に、ビス１９を取り外す。次に、突出部２１を矢印２２方向へ引張り、駆動ギア６をフォーカスリング２から退避させる。ドライブユニット５を固定させる方法は実施例１と同等なため説明を割愛する。本実施例に記載の構成の場合は、駆動ギア１０をフォーカスリング２から手動で退避させることが出来る。尚、実施例２、３に記載のように検出ギア７をドライブユニット５の外部に配置したり、ドライブユニット５の外部に回転検出ギア２０を設けたりしても良い。
【００１９】
［実施例５］
以下、本発明の第５の実施例による、テレビレンズについて説明する。図１１はドライブユニット５とテレビレンズ１の固定状態を示す正面図である。図１２はドライブユニット５とテレビレンズ１の固定状態を示す断面図である。
【００２０】
ドライブユニット５は一端に固定部２３を有する。バンド２４は固定部２３とテレビレンズ１の外周を挟み込む位置に設けられる。バンド２４はテレビレンズ１への締めこみ量を調整するビス２５を有する。他の構成は実施例１に記載の内容と同様なため、説明を割愛する。
【００２１】
以上の構成において、ビス２５を締めこむことで、バンド２４をテレビレンズ１に向けて締めつけ、ドライブユニット５とテレビレンズ１を固定する。本実施例によれば、ドライブユニット５をテレビレンズ１に対して任意の位置で固定することが可能となる。
【００２２】
以上、本発明の好ましい実施形態について説明したが、本発明はこれらの実施形態に限定されず、その要旨の範囲内で種々の変形及び変更が可能である。
【符号の説明】
【００２３】
１：テレビレンズ
２：フォーカスリング
５：ドライブユニット
６：駆動ギア
７：検出ギア
８：モータギア
１０：固定台
１１：位置規制部
１２：バネ
１３：付勢方向
１４：ビス
１５：ピン
１６：回転規制部
【図１】
2013156607.tif 000003
【図２】
2013156607.tif 000004
【図３】
2013156607.tif 000005
【図４】
2013156607.tif 000006
【図５】
2013156607.tif 000007
【図６】
2013156607.tif 000008
【図７】
2013156607.tif 000009
【図８】
2013156607.tif 000010
【図９】
2013156607.tif 000011
【図１０】
2013156607.tif 000012
【図１１】
2013156607.tif 000013
【図１２】
2013156607.tif 000014